(57)【要約】【課題】視野角又は視認方向を容易に変更する。【解決手段】表示装置１０は、光学シート４０と、画像表示ユニット１５と、を備え、視野角又は画像が視認され得る視認方向を切り換え可能である。光学シート４０は、光学異方性の第１層５１と、第１層に積層された第２層５２と、を含む。一方の偏光成分の光の進行方向を変化させる光学界面５５が、第１層５１と第２層５２との間に形成される。画像表示ユニット１５は、光学シート４０に対向して配置され、視野角又は視認方向を切り替えるために、一方の偏光成分の光と、他方の偏光成分の光と、を切り替えて射出し得る。【選択図】図１
2014077911.tif 000002
【特許請求の範囲】
【請求項１】
視野角又は画像が視認され得る視認方向を切り換え可能な表示装置であって、
光学異方性の第１層と、前記第１層に積層され、一方の偏光成分の光の進行方向を変化させる光学界面を前記第１層との間に形成する第２層と、を有し、前記光学界面は、一方向に配列された複数の単位光学界面を有し、各単位光学界面は、前記一方向と非平行な方向に延び、光の偏光状態に応じて当該光の進行方向を制御する光学シートと、
前記光学シートに対向して配置され、前記視野角又は前記視認方向を切り替えるために、前記一方の偏光成分の光と、他方の偏光成分の光と、を切り替えて射出し得る画像表示ユニットと、を備える、表示装置。
【請求項２】
前記画像表示ユニットは、前記視野角を第１の視野角にする場合または前記視認方向を第１の方向にする場合に、前記一方の偏光成分の光を射出し、前記視野角を前記第１の視野角より狭い第２の視野角にする場合または前記視認方向を第１の方向と異なる第２の方向にする場合に、前記他方の偏光成分の光を射出する、請求項１に記載の表示装置。
【請求項３】
前記第１層は、熱可塑性樹脂を含む、請求項１又は請求項２に記載の表示装置。
【請求項４】
前記第１層の面内の複屈折率Δｎが０．１３以上である、請求項１又は請求項２に記載の表示装置。
【発明の詳細な説明】
【技術分野】
【０００１】
本発明は、視野角又は画像が視認され得る視認方向を切り換え可能な表示装置に関する。
【背景技術】
【０００２】
液晶表示装置などの表示装置は、様々な電子機器に用いられている。このような電子機器においては、付加的な機能を持たせるため、視野角又は画像が視認され得る視認方向を変更できることが好ましい。例えば、タブレットＰＣなどの電子機器では、視野角を変更することにより、表示内容を他人に知得されないようにしたい場合と、表示内容を複数の人で観察したい場合とに対応することができる。
表示装置の視野角を制御するために、着脱可能なルーバーシートが利用されている（例えば、特許文献１参照）。
【先行技術文献】
【特許文献】
【０００３】
【特許文献１】特開２００３−５８０６６号公報
【発明の概要】
【発明が解決しようとする課題】
【０００４】
しかしながら、上記従来のルーバーシートを用いる場合、その着脱に手間がかかることから、視野角を容易に変更することができない。また、上記従来のルーバーシートを用いても、視認方向を正面以外の方向に設定することはできない。
【０００５】
本発明は、このような点を考慮してなされたものであって、視野角又は視認方向を容易に変更できる表示装置を提供することを目的とする。
【課題を解決するための手段】
【０００６】
本発明による表示装置は、
視野角又は画像が視認され得る視認方向を切り換え可能な表示装置であって、
光学異方性の第１層と、前記第１層に積層され、一方の偏光成分の光の進行方向を変化させる光学界面を前記第１層との間に形成する第２層と、を有し、前記光学界面は、一方向に配列された複数の単位光学界面を有し、各単位光学界面は、前記一方向と非平行な方向に延び、光の偏光状態に応じて当該光の進行方向を制御する光学シートと、
前記光学シートに対向して配置され、前記視野角又は前記視認方向を切り替えるために、前記一方の偏光成分の光と、他方の偏光成分の光と、を切り替えて射出し得る画像表示ユニットと、を備える。
【０００７】
本発明による表示装置において、
前記画像表示ユニットは、前記視野角を第１の視野角にする場合または前記視認方向を第１の方向にする場合に、前記一方の偏光成分の光を射出し、前記視野角を前記第１の視野角より狭い第２の視野角にする場合または前記視認方向を第１の方向と異なる第２の方向にする場合に、前記他方の偏光成分の光を射出してもよい。
【０００８】
本発明による表示装置において、前記第１層は、熱可塑性樹脂を含んでもよい。
【０００９】
本発明による表示装置において、前記第１層をなす材料のガラス転移温度は、１００℃以上であってもよい。
【００１０】
本発明による表示装置において、前記熱可塑性樹脂が、ポリエチレンナフタレート樹脂であってもよい。
【００１１】
本発明による表示装置において、前記第１層の面内の複屈折率Δｎが０．１３以上であってもよい。
【００１２】
本発明による表示装置において、光学シートへの法線方向に進む他方の偏光成分の光が、光学シートを透過した後に、光学シートへの前記法線方向に対して２°以下の角度をなす方向へ進むようにしてもよい。
【００１３】
本発明による表示装置において、１５０℃で３０分加熱しＪＩＳＣ２１５１の規定にしたがって測定された前記光学シートの寸法安定性が２％以下であってもよい。
【００１４】
本発明による表示装置において、前記第２層は光学等方性であってもよい。
【００１５】
本発明による表示装置において、前記第１層の電気双極子モーメントの大きさは、前記第２層の電気双極子モーメントの大きさよりも大きくてもよい。
【発明の効果】
【００１６】
本発明によれば、視野角又は視認方向を容易に変更できる。
【図面の簡単な説明】
【００１７】
【図１】図１は、本発明の一実施の形態を説明するための図であって、表示装置を模式的に示す斜視図である。
【図２】図２は、図１の表示装置で広い視野角で画像を表示する際の画像をなす光の光路を説明するための図であって、図１の表示装置の縦断面図である。
【図３】図３は、図１の表示装置で狭い視野角で画像を表示する際の画像をなす光の光路を説明するための図であって、図１の表示装置の縦断面図である。
【図４】図４は、図１の表示装置に組み込まれた光学シートの第１層および第２層の屈折率楕円体を示す斜視図である。
【図５】図５は、第１層および第２層の面内における屈折率分布の一変形例を示す図である。
【図６】図６は、第１層および第２層の面内における屈折率分布の他の変形例を示す図である。
【図７】図７は、第１層および第２層の面内における屈折率分布のさらに他の変形例を示す図である。
【図８】図８は、第１層および第２層の面内における屈折率分布のさらに他の変形例を示す図である。
【図９】図９は、光学シートの製造方法の一例を説明するための図である。
【図１０】図１０は、光学シートの製造方法の他の例を説明するための図である。
【図１１】図１１は、図１の表示装置の変形例で正面以外の方向に画像を表示する際の画像をなす光の光路を説明するための図であって、図１の表示装置の変形例の縦断面図である。
【図１２】図１２は、図１の表示装置の変形例で正面方向に画像を表示する際の画像をなす光の光路を説明するための図であって、図１の表示装置の変形例の縦断面図である。
【発明を実施するための形態】
【００１８】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１９】
図１〜図４は、本発明の一実施の形態を説明するための図である。このうち、図１は、表示装置を示す斜視図である。図２および図３は、それぞれ、広い視野角または狭い視野角で画像を表示する際の表示装置の作用を説明するための図である。図４は、光学シートの第１層および第２層の屈折率楕円体を示す斜視図である。
【００２０】
本実施の形態における表示装置１０は、視野角を切り替えて画像を表示することができる。表示装置１０は、例えば、タブレットＰＣ、カーナビゲーションシステム、および、テレビ等の電子機器に用いることができる。図１に示すように、表示装置１０は、画像表示ユニット１５と、画像表示ユニット１５に対向して配置された光学シート４０と、を有している。画像表示ユニット１５は、外部からの制御に応じて、広い視野角（第１の視野角）で画像を表示するための一方の直線偏光成分の光と、狭い視野角（第１の視野角より狭い第２の視野角）で画像を表示するための他方の直線偏光成分の光と、を切り替えて射出するように構成されている。光学シート４０は、光の偏光状態に応じて当該光の進行方向を制御するようになっている。より具体的には、光学シート４０は、広い視野角で画像を表示するための一方の直線偏光成分の光の進行方向を制御し、一方の直線偏光成分の振動方向と直交する方向に振動する他方の直線偏光成分の光の進行方向を維持する。
【００２１】
以下、各構成要素についてさらに詳述する。なお、以下の説明においては、広い視野角で画像を形成する一方の直線偏光成分を、光学シート４０のシート面と平行なｘ軸方向（図１参照）に振動する第１偏光成分とする。狭い視野角で画像を形成する他方の直線偏光成分を、ｘ軸方向と直交し且つ光学シート４０のシート面と平行なｙ軸方向（図１参照）に振動する第２偏光成分とする。
【００２２】
なお、本明細書において、「シート」、「フィルム」、「板」の用語は、呼称の違いのみに基づいて、互いから区別されるものではない。例えば、「フィルム」はシートや板と呼ばれ得るような部材も含む概念であり、したがって、「光学シート」は、「光学フィルム」や「光学板」と呼ばれる部材と呼称の違いのみにおいて区別され得ない。
【００２３】
また、「シート面（フィルム面、板面、パネル面）」とは、対象となるシート状（フィルム状、板状、パネル状）の部材を全体的かつ大局的に見た場合において対象となるシート状部材（フィルム状部材、板状部材、パネル状部材）の平面方向と一致する面のことを指す。本実施の形態においては、画像形成装置２０の画像形成面２０ａ、液晶表示パネル２５のパネル面、偏光制御装置３０のパネル面、光学シート４０のシート面、および、表示装置１０の表示面１０ａは平行となっている。また、正面方向とは、光学シート４０のシート面への法線方向のことを指す。
【００２４】
さらに、本件明細書において用いる形状や幾何学的条件を特定する用語、例えば、「平行」、「直交」等の用語は、厳密な意味に縛られることなく、同様の光学的機能を期待し得る程度の誤差範囲を含めて解釈することとする。
【００２５】
まず、画像表示ユニット１５は、画像形成装置２０と、画像形成装置２０からの光を透過させる偏光制御装置３０と、を有している。偏光制御装置３０は、画像形成装置２０と光学シート４０との間に配置されている。画像形成装置２０は、画像形成面２０ａと平行な面内に配列された多数の画素２１を含んでいる。図示された例では、多数の画素２１は、ストライプ配列されている。以下では、画像形成装置２０が、第１偏光成分の光によって画像を形成する例について説明する。この例では、偏光制御装置３０は、画像形成装置２０から投射された光の偏光状態を、広い視野角で画像を表示する場合に第１偏光成分に維持し、狭い視野角で画像を表示する場合に第２偏光状態に変換する。ただし、この例に限られず、画像形成装置２０が第２偏光成分の光を射出し、偏光制御装置３０が、広い視野角で画像を表示する場合に画像形成装置２０から投射された光の偏光状態を第１偏光成分に変換し且つ狭い視野角で画像を表示する場合に第２偏光状態に維持するようにしてもよい。
【００２６】
図示された例において、画像形成装置２０は、液晶表示装置として形成されている。すなわち、画像形成装置２０は、液晶表示パネル２５と、液晶表示パネル２５の背面に配置されたバックライト２４と、を有している。バックライト２４は、エッジライト型や直下型等の既知の構成を採用して形成され得る。
【００２７】
一方、液晶表示パネル２５は、一対の偏光板２６，２８と、一対の偏光板２６，２８間に配置された液晶セル２７と、を有している。偏光板２６，２８は、入射した光を直交する二つの偏光成分に分解し、一方の方向の偏光成分を透過させ、前記一方の方向に直交する他方の方向の偏光成分を吸収する機能を有した偏光子を有している。ここで説明する一具体例では、バックライト２４側に配置された下偏光板２６は、第２偏光成分の光を透過させ、偏光制御装置３０側に配置された上偏光板２８は、第１偏光成分の光を透過させる。
【００２８】
液晶セル２７は、一対の支持板と、一対の支持板間に配置された液晶分子（液晶材料）と、を有している。液晶セル２７は、一つの画素を形成する領域毎に、電界印加がなされ得るようになっている。そして、電界印加された液晶セル２７の液晶の配向は変化するようになる。下偏光板２６を透過した第２偏光成分の光は、一例として、電界印加されていない液晶セル２７を通過する際にその振動方向を９０°回転させ、電界印加されている液晶セル２７を通過する際にその偏光状態を維持する。このため、液晶セル２７への電界印加の有無によって、下偏光板２６を透過した第２偏光成分の光が、下偏光板２６の出光側に配置された上偏光板２８をさらに透過するか、あるいは、上偏光板２８で吸収されて遮断されるか、を制御することができる。このようにして、上偏光板２８を選択的に透過した各画素２１からの第１偏光成分の光によって画像が形成される。
【００２９】
次に、偏光制御装置３０について説明する。偏光制御装置３０は、基本構成として、第１電極３４および第２電極３６と、第１電極３４および第２電極３６間に配置された媒質層３５と、を有している。媒質層３５は、一対の電極３４，３６間において電圧を印加されることにより、屈折率の異方性を生じさせる。図示された例では、第１電極３４、液晶層３５および第２電極３６は、第１支持フィルム３３および第２支持フィルム３７の間に配置されている。第１電極３４、媒質層３５および第２電極３６は、一対の支持フィルム３３，３７によって支持および保護されている。以下では、媒質層が、液晶層３５として構成された例について説明する。
【００３０】
一対の電極３４，３６および液晶層３５は、画像形成装置２０の画像形成面２０ａの全領域に対面する広さを有している。図２および図３に示すように、液晶層３５は、液晶分子３１を含んだ層として構成されている。一対の電極３４，３６は、図示しない電圧印加手段に電気的に接続されている。なお、一対の電極３４，３６は、スペーサー（図示せず）等によって、所定の間隔に保たれている。
【００３１】
液晶層３５に含まれる液晶分子３１が、典型例としてＴＮ型の液晶分子である場合、一対の電極３４，３６間に電圧を印加すると、図２に示すように、液晶分子３１は配向される。この場合、画像形成装置２０からの光の偏光状態は、第１偏光成分のままに維持される。一方、一対の電極３４，３６間に電圧が印加されていない場合、図３に示すように、液晶分子３１はツイスト状に９０°旋回する。この場合、画像形成装置２０からの光の偏光状態は、振動方向がｘ軸方向からｙ軸方向に変換される、すなわち、第１偏光成分から第２偏光成分に変換される。
【００３２】
ただし、以上における画像表示ユニット１５、画像形成装置２０および偏光制御装置３０の説明は、一具体例に過ぎず、既知の手段を用いることができる。
【００３３】
次に、光学シート４０について説明する。図１〜図３に示すように、光学シート４０は、第１層５１と、第１層５１に隣接して設けられた第２層５２と、を有している。また、図示された例では、光学シート４０は、第２層５２上に設けられたフィルム層４３を、さらに有している。
【００３４】
フィルム層４３は、単一の層、または、複数の積層された層として形成される。フィルム層４３は、特定の機能を発揮することを期待された層であって、表示装置１０の最出光側面、すなわち表示装置１０の表示面１０ａを形成している。フィルム層４３は、一例として、反射防止機能を有した反射防止層（ＡＲ層）、防眩機能を有した防眩層（ＡＧ層）、耐擦傷性を有したハードコート層（ＨＣ層）、帯電防止機能を有した帯電防止層（ＡＳ層）等の一以上を含むように構成され得る。
【００３５】
第１層５１と第２層５２との間の境界面は、凹凸面として形成されている。この境界面は、少なくとも第１偏光成分の光の進行方向を変化させる光学界面５５をなしている。図示された例では、第１層５１と第２層５２との境界をなす光学界面５５は、複数の単位光学界面５５ａを含んだ面として構成されている。図１に示すように、単位光学界面５５ａは、ある配列方向に沿って配列されている。各単位光学界面５５ａは、当該配列方向と非平行な方向に延びている。とりわけ図示された例では、単位光学界面５５ａはｘ軸方向に隙間無く配列され、各単位光学界面５５ａはｙ軸方向に直線状に延びている。一つの単位光学界面５５ａは、ｙ軸方向に沿った各位置で同一の形状を有している。また、複数の単位光学界面５５ａは、互いに同一に構成されている。
【００３６】
この単位光学界面５５ａは、各画素２１から射出される光が予め定められた位置に向かうよう、適宜設計される。図示された例では、正面方向および単位光学界面５５ａの配列方向の両方に平行な断面において、単位光学界面５５ａは凸レンズ状の輪郭を有し、各画素２１からの発散光束を予め設定された位置に集光させる。複数の単位光学界面５５ａの集合体としての光学界面５５は、レンチキュラーレンズを形成している。
【００３７】
ただし、図示された単位光学界面５５ａおよび光学界面５５は、単なる例示に過ぎず、種々の変更が可能である。例えば、後に詳述するように、単位光学界面５５ａの断面輪郭を適宜変更することが可能である。また、複数の単位光学界面５５ａが互いに異なる形状を有するようにしてもよい。一例として、光学界面５５が、フレネルレンズを構成するようにしてもよい。さらに、単位光学界面５５ａが一次元配列された細長状の要素からなる例を示したがこれに限られず、単位光学界面５５ａが二次元配列されるようにしてもよい。
【００３８】
次に、第１層５１および第２層５２の屈折率について説明する。第１層５１は、光学異方性であり、少なくとも面内における複屈折性を有している。すなわち、第１層５１のｘ軸方向での屈折率ｎ１ｘは、第１層５１のｙ軸方向での屈折率ｎ１ｙとは異なる値となっている。加えて、ここで説明する光学シート４０では、第１層５１のｘ軸方向での屈折率ｎ１ｘ、第２層５２のｘ軸方向での屈折率ｎ２ｘ、第１層５１のｙ軸方向での屈折率ｎ１ｙ、および、第２層５２のｙ軸方向での屈折率ｎ２ｙが、次の関係を満たす。
｜ｎ１ｘ−ｎ２ｘ｜≠｜ｎ１ｙ−ｎ２ｙ｜
これにより、光学シート４０は、ｘ軸方向に振動する第１偏光成分の光とｙ軸方向に振動する第２偏光成分の光とに対して、異なる光学機能を発揮するようになる。より具体的に説明すると、互いに同一方向に進む第１偏光成分の光および第２偏光成分の光は、光学シート４０の光学界面５５を通過すると、異なる方向へ進むようになる。
【００３９】
とりわけここで説明する例においては、次の関係が満たされるようになっている。
｜ｎ１ｘ−ｎ２ｘ｜＞｜ｎ１ｙ−ｎ２ｙ｜＝０
この場合、光学シート４０の光学界面５５は、ｙ軸方向に振動する第２偏光成分の光に対して、もはや屈折率差を有した光学的な界面をなさない。したがって、第１偏光成分の光は、光学シート４０の光学界面５５から光学機能（例えば、レンズ機能）を及ぼされるが、第２偏光成分の光は、光学シート４０の光学界面５５を通過する際に、その進行方向を変化させることはない。なお本明細書において、屈折率の値は、小数第３位を四捨五入して小数第２位までの数値として取り扱うこととする。
【００４０】
ただし、表示装置１０への適用においては、｜ｎ１ｙ−ｎ２ｙ｜＝０とすることは実用上における必須の条件ではなく、｜ｎ１ｘ−ｎ２ｘ｜＞｜ｎ１ｙ−ｎ２ｙ｜且つ｜ｎ１ｙ−ｎ２ｙ｜≦０．０２が満たされれば十分である。この場合、第２偏光成分の光が、ゴーストやクロストークといった不具合が生じる程度に、光学シート４０の光学界面５５にてその進行方向を変化させることはない。
【００４１】
また、表示装置１０への適用においては、第２偏光成分の光に及ぼされる光学作用の程度は、｜ｎ１ｙ−ｎ２ｙ｜の大きさのみだけでなく、後に詳述する光学シート４０の光学界面５５の形状等のその他の構成からも影響を受ける。このような観点から、光学シート４０のシート面へ直交する方向（すなわち、正面方向）へ進むｙ軸方向に振動する偏光成分（第２偏光成分）の光が、光学シート４０を透過した後に、正面方向に対して２°以下の角度をなす方向へ進むように、光学シート４０が構成されていてもよい。この場合、不具合、例えば画像を表示した際におけるゴーストの発生等による画質劣化、を及ぼし得るような光学作用が、光学シート４０を透過する第２偏光成分の光に及ぼされることを効果的に防止することができる。
【００４２】
図４は、第１層５１および第２層５２の各方向での屈折率分布を示す屈折率楕円体の一例が示されている。この例では、
（ｎ１ｘ−ｎ２ｘ）＞｜ｎ１ｙ−ｎ２ｙ｜＝０
なる関係が満たされている。第１層５１のｘ軸方向での屈折率ｎ１ｘは、第１層５１のｙ軸方向での屈折率ｎ１ｙよりも大きな値となっている。また、図３に示された例において、第２層５２は、光学等方性の層として形成されている。すなわち、第２層５２のｘ軸方向での屈折率ｎ２ｘは、第２層５２のｙ軸方向での屈折率ｎ２ｙと等しい。したがって、第１層５１のｘ軸方向での屈折率ｎ１ｘは、第２層５１のｘ軸方向での屈折率ｎ２ｘよりも大きな値となっている。この結果、図１に示された光学界面５５は、凸レンズと同様のレンズ機能を発揮することができる。
【００４３】
また、図１に示された例では、第１層５１の面内において屈折率が最大となる遅相軸方向が、ｘ軸方向と一致しており、第１層５１の面内において屈折率が最小となる進相軸方向が、ｙ軸方向と一致している。且つ、第1層５１の面内におけるｙ軸方向（進相軸方向）の屈折率ｎ２ｘと第２層５２の面内におけるｙ軸方向の屈折率ｎ２ｙとを一致させるよう構成される。したがって、ｙ軸方向における第１層５１と第２層５２との間での屈折率差を０にしながら、ｘ軸方向における第１層５１と第２層５２との間での屈折率差を大きく設定することができる。なお、家庭用の表示装置への適用においては、容易に製造可能な形状で光学界面５５を作製することを条件とすると、第１層５１の複屈折率Δｎ（＝ｎ１ｘ−ｎ１ｙ）が０．１３以上であることが好ましい。一方、後述するように延伸によって第１層５１の光学異方性を付与する場合には、延伸工程での面内均一性等を考慮して、第１層５１の複屈折率Δｎを０．２２以下とすることが好ましい。
【００４４】
なお、第１層５１および第２層５２の屈折率は、王子計測機器製「ＫＯＢＲＡ−ＷＲ」、日本分光（株）製「エリプソメーター  Ｍ１５０」、或いは、アッベ屈折率計（アタゴ社製  ＮＡＲ−４Ｔ）を用いて測定された値とすることができる。
【００４５】
このような光学シート４０は、次のようにして製造され得る。まず、図９に示すように、熱可塑性樹脂を用いて樹脂フィルム７１を作製する。その後、樹脂フィルム７１を延伸して、延伸された樹脂フィルム７１からなる第１層５１を作製する。その後、第１層５１上に第２層５２を形成することにより、光学シート４０が得られる。
【００４６】
樹脂フィルム７１は、熱可塑性樹脂を主成分として含む樹脂材料、あるいは、熱可塑性樹脂そのものを成形加工することにより、作製され得る。成形加工としては、射出成形や溶融押し出し成形を採用することができる。これらの成形加工によれば、光学界面５５を形成する凹凸を有した樹脂フィルム７１を作製することができる。
【００４７】
なお、樹脂フィルム７１の成形には、型面が金型あるいは樹脂で形成された型を用いることができる。特に樹脂で形成された型を用いた場合、金属製の型面を用いた場合と比較して、加熱した熱可塑性樹脂を塗布する際、熱可塑性樹脂から型面への急速な吸熱を抑制することができる。これにより、加熱した熱可塑性樹脂が型面上を十分に延び広がり、賦型率を向上させることができる。また、作製された樹脂フィルム７１の型面からの離型性が良いため、離型時における欠損等を防止することができる。型面が樹脂で形成された型としては、長尺のフィルム状の型を用いることができる。
【００４８】
樹脂フィルム７１の延伸は、樹脂フィルム７１に光学異方性を付与するための加工であり、したがって、一軸延伸であることが好ましい。図９に示すように、光学界面５５の単位光学界面５５ａをなすようになる樹脂フィルム７１の凸部の配列方向と垂直な方向（ｙ軸方向）に、樹脂フィルム７１を延伸することになる。
【００４９】
樹脂フィルム７１の延伸は、樹脂フィルム７１をなす熱可塑性樹脂のガラス転移温度以上に当該樹脂フィルム７１を加熱した状態で、実施される。樹脂フィルム７１が溶融押し出し成形により作製される場合、押し出し直後の高温の樹脂フィルム７１を延伸すればよい。すなわち、延伸のための樹脂フィルム７１の加熱処理を別途に設ける必要がない。なお、図９に示すように、樹脂フィルム７１は、延伸によって形状を変化させて、第１層５１を形成するようになる。したがって、上述した樹脂フィルム７１の成形工程では、延伸による変形を見込んだ形状で、樹脂フィルム７１を作製することになる。
【００５０】
次に、作製された第１層５１上に樹脂を塗布し、第１層５１上で当該樹脂を硬化させることにより、第１層５１上に第２層５２を形成する。第１層５１上に形成された第２層５２は、第１層５１に対面する面として、第１層５１の凹凸に対応した凹凸、言い換えると、第１層５１の凹凸と相補的な凹凸を有するようになる。また別の方法として、第１層５１上に、別途に成形された第２層５２を積層するようにしてもよい。第２層５２をなすようになる樹脂は、複屈折性の無い、即ち屈折率等方性（ｎ２ｘ＝ｎ２ｙ）の熱可塑性樹脂でもよいし、熱硬化性樹脂でもよいし、電離放射線硬化型樹脂でもよい。以上のようにして、光学シート４０が得られる。第２層を構成するこれら複屈折性の無い熱可塑性樹脂等の樹脂は、通常は、未延伸状態で固化されてなる。
【００５１】
また、別の方法として、図１０に示された製造方法によっても、光学シート４０を作製することができる。
【００５２】
図１０に示された製造方法では、まず、上述した凹凸を有する樹脂フィルム７１（図９参照）と、この樹脂フィルム７１の凹凸に対応した凹凸、言い換えると、樹脂フィルム７１の凹凸と相補的な凹凸を有する第２樹脂フィルム７２と、を準備する。次に互いの凹凸が噛み合うようにして、樹脂フィルム７１および第２樹脂フィルム７２を、例えば接着剤又は粘着剤等を介して、積層する。その後、積層された樹脂フィルム７１および第２樹脂フィルム７２を延伸することにより、樹脂フィルム７１からなる第１層５１と第２樹脂フィルム７２からなる第２層５２とを有する光学シート４０が得られる。
【００５３】
図１０に示された製造方法においても、樹脂フィルム７１および第２樹脂フィルム７２は、図９に示された上述の製造方法と同様にして、熱可塑性樹脂を用いた成形により、作製され得る。また、図１０に示された製造方法においても、樹脂フィルム７１の延伸により、樹脂フィルム７１に面内に複屈折性を付与する。なお、第２樹脂フィルム７２も樹脂フィルム７１とともに延伸されることになるが、第２樹脂フィルム７２に対しては積極的に光学異方性を付与する必要はない。したがって、第２樹脂フィルム７２に面内の複屈折性が生じることを防止するため、第２樹脂フィルム７２を構成する分子の電気双極子モーメントの大きさは小さい方が好ましい。とりわけ、第２樹脂フィルム７２を構成する分子の電気双極子モーメントの大きさが、少なくとも樹脂フィルム７１を構成する分子の電気双極子モーメントの大きさよりも小さくなっていることが好ましい。なお、電気双極子モーメントの測定は、まず、横河・ヒューレットパッカード社製のプレシジョンＬＣＲメーターＨＰ４２８４ＡのテストフィクスチャーＨＰ１６４５１Ｂ電極を用いて誘電率を測定し、次に、測定された誘電率を用いて電気双極子モーメントを特定することにより、行われ得る。
【００５４】
樹脂フィルム７１及び第２樹脂フィルム７２について、構成分子の電気双極子モーメントの大きさを斯くの如く選定することにより、樹脂フィルム７１及び第２樹脂フィルム７２に等量の延伸がかかり、等量の分子配向が生じたとしても、各フィルムに発現する複屈折率（屈折率異方性）の程度は構成分子の電気双極子モーメントの大きさに依存する為、
樹脂フィルム７１の複屈折率Δｎ１＞第２樹脂フィルム７２の複屈折率Δｎ２或いは両フィルムのｘ及びｙ軸方向の各屈折率で表記すると、
ｎ１ｘ−ｎ１ｙ＞ｎ２ｘ−ｎ２ｙ（理想的には→０）とすることが出來る。
【００５５】
以上のようにして、熱可塑性樹脂を含む光学異方性の第１層５１と、第１層５１に積層され第１偏光成分の光の進行方向を変化させる光学界面５５を第１層５１との間に形成する第２層５２と、を有する光学シート４０を作製することができる。
【００５６】
なお、第１層５１に含まれる熱可塑性樹脂として、ポリカーボネート樹脂、シクロオレフィンポリマー樹脂、アクリル樹脂、ポリエステル樹脂等を用いることができる。このうち、ポリエステル樹脂は、コスト及び機械的強度の面において有利である。具体的なポリエステル樹脂としては、ポリエチレンナフタレート、ポリエチレンテレフタレート、ポリエチレンイソフタレート、ポリブチレンテレフタレート、ポリ（１，４−シクロヘキシレンジメチレンテレフタレート）、ポリエチレン−２，６−ナフタレートを例示することができる。また、第１層５０をなすポリエステル樹脂は、これらの上記ポリエステル樹脂の共重合体であってもよく、上記ポリエステルを主体（例えば８０モル％以上の成分）とし、少割合（例えば２０モル％以下）の他の種類の樹脂とブレンドしたものであってもよい。ポリエステル樹脂として、ポリエチレンナフタレートは、大きな複屈折率を確保し得る点において好ましい。また、ポリエステル樹脂として、ポリエチレンテレフタレート又はポリエチレン−２，６−ナフタレートが力学的物性や光学物性等のバランスが良いので好ましい。なお、光学シート４０の安定性の観点から、第１層５１をなす材料のガラス転移温度は１００℃以上であることが好ましい。
【００５７】
このような光学シート４０を含んだ表示装置１０では、次のようにして、狭い視野角または広い視野角で画像を表示することができる。まず、図３を主に参照しながら、狭い視野角で画像を表示する場合について説明する。
【００５８】
バックライト２４が、液晶表示パネル２５を背面側から面状に照明する。液晶表示パネル２５は、バックライト２４からの光を画素２１毎に選択的に透過させる。このようにして形成された画像光Ｌ３１〜Ｌ３４は、画像形成装置２０の画像形成面２０ａから射出した状態において、画像形成装置２０の下偏光板２８を透過し得る第１偏光成分となっている。その後、画像光Ｌ３１〜Ｌ３４は、偏光制御装置３０へと入射する。狭い視野角で画像を表示する場合、偏光制御装置３０の一対の電極３４，３６間には、電圧が印加されていない。このため、図３に示すように、液晶分子３１は、９０°旋回した状態となる。この結果、偏光制御装置３０を透過する画像光Ｌ３１〜Ｌ３４は、その偏光状態を変換させる。この結果、画像光Ｌ３１〜Ｌ３４は、画像表示ユニット１５から射出した状態において、第２偏光成分となっている。
【００５９】
画像表示ユニット１５から射出した画像光Ｌ３１〜Ｌ３４は、光学シート４０へ入射する。光学シート４０は、凹凸面として形成された光学界面５５を有している。この光学界面５５は、光学異方性の第１層５１と、第２層５２との境界面として構成されている。ただし、画像光Ｌ３１〜Ｌ３４をなす第２偏光成分の振動方向であるｙ軸方向における第１層５１の屈折率ｎ１ｙと、ｙ軸方向における第２層５２の屈折率ｎ２ｙとは同一に設定されている。したがって、画像光Ｌ３１〜Ｌ３４は、光学シート４０の光学界面５５で進行方向を曲げられることなく進む。このようにして、画像光Ｌ３１〜Ｌ３４が、表示装置１０の表示面１０ａから正面方向に出射する。この結果、観察者は、正面方向から画像を観察することが可能となる。
【００６０】
なお、液晶表示パネル２５を照明するバックライト２４からの光は、正面方向に光軸を有するとともに（つまり正面方向に明るさのピークを有するとともに）、正面方向を中心とした或る程度の角度域内の方向に進む。したがって、各画素２１を通過した光は、発散光として、或る程度の角度範囲に向けて、表示装置１０の表示面１０ａから出射する。この結果、観察者は、表示面１０ａに形成される画像を或る程度の角度範囲から観察することができる。つまり、この場合の視野角は、バックライト２４からの光の発散の程度に依存する。
【００６１】
次に、以上の説明より広い視野角で画像を表示する場合について説明する。広い視野角で画像を表示する場合にも、狭い視野角で画像を表示する場合と同様にして、画像形成装置２０から画像光Ｌ２１〜Ｌ２５が射出する。この画像光Ｌ２１〜Ｌ２５は、次に、偏光制御装置３０へと入射する。
【００６２】
図２に示すように、広い視野角で画像を表示する場合、偏光制御装置３０の一対の電極３４，３６間には、電圧が印加される。このため、画像光Ｌ２１〜Ｌ２５は、偏光状態を第１状態に維持しながら、偏光制御装置３０を透過する。
【００６３】
画像表示ユニット１５から射出した画像光Ｌ２１〜Ｌ２５は、光学シート４０へ入射する。そして、画像光Ｌ２１〜Ｌ２５をなす第１偏光成分の振動方向であるｘ軸方向における第１層５１の屈折率ｎ１ｘは、ｘ軸方向における第２層５２の屈折率ｎ２ｘよりも大きい値となっている。これにより、光学シート４０の光学界面５５は、各画素２１からの画像光Ｌ２１〜Ｌ２５の進行方向を制御する。
【００６４】
光学界面５５の各単位光学界面５５ａは、レンズ機能を発揮し、各画素２１からの光を発散させる。つまり、光は、レンズ界面（光学界面５５）の屈折率差と光の入射角度によって屈折して視野角が拡大する。光が、上述した一対の電極３４，３６間に電圧が印加されていない場合よりも広い角度範囲に向けて発散するよう、各単位光学界面５５ａは設計されている。この結果、観察者は、表示面１０ａに形成される画像をより広い角度範囲から観察することができる。即ち、視野角を広くすることができる。
【００６５】
このように、本実施形態によれば、画像表示ユニット１５が、広い視野角で画像を表示するための一方の直線偏光成分の光と、狭い視野角で画像を表示するための他方の直線偏光成分の光と、を切り替えて射出することにより、視野角を容易に変更できる。
【００６６】
例えば、表示装置１０の正面付近からは観察者が画像を観察でき、正面以外からは画像を観察し難くしたい場合、視野角を狭くすればよい。また、正面以外にも位置する複数の観察者が画像を観察できるようにしたい場合、視野角を広くすればよい。このような表示装置１０をタブレットＰＣに適用した場合、表示内容を他人に知得されないようにしたい場合に視野角を狭くして、表示内容を複数の人で観察したい場合に視野角を広くすればよい。また、カーナビゲーションシステムに適用した場合、例えば、表示装置１０の正面以外に位置する運転者に画像を観察させない場合に視野角を狭くすればよい。
【００６７】
また、本実施形態によれば、光学シート４０の面内複屈折率を有した第１層５１は、延伸された熱可塑性樹脂によって光学異方性を発現している。したがって、第１層５１は、１００℃以上のガラス転移温度を有することも十分に可能である。このため、本実施の形態による光学シート４０、並びに、この光学シート４０を含んだ表示装置１０は、優れた安定性を呈するようになる。一例として、本実施の形態による光学シート４０は、１５０℃で３０分加熱しＪＩＳＣ２１５１の規定にしたがって測定された寸法安定性を飛躍的に改善することができる。具体的には、本実施の形態によれば、１５０℃で３０分加熱しＪＩＳＣ２１５１の規定にしたがって測定された光学シート４０の寸法安定性を２％以下に抑えることができる。結果として、家庭用テレビ受像器等の一般用途の範囲内での使用環境において、大きな制約を受けることなく、本実施の形態による光学シート４０を使用することができ、且つ、本実施の形態による光学シート４０が、期待された光学機能を発現することができる。
【００６８】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００６９】
光学シート４０は、例示に過ぎず適宜変更することができる。まず、フィルム層４３は、必須の層ではなく、光学シート４０から省略することができる。また、第１層５１および第２層５２よりも偏光制御装置３０側に、何らかの機能を発揮することが期待されたフィルム層が設けられてもよい。さらに、上述したように、光学界面５５および単位光学界面５５ａの構成は、期待される光学機能に応じて適宜変更することができる。さらに、光学異方性の第１層５１が、第２層５２よりも観察側に配置されていてもよい。
【００７０】
ここで、光学界面５５および単位光学界面５５ａの変形例について、図１１，１２を参照して説明する。この変形例では、表示装置１０は、画像が視認され得る視認方向を切り替えることができる。
【００７１】
図１１は、図１の表示装置の変形例で正面以外の方向に画像を表示する際の画像をなす光の光路を説明するための図であって、図１の表示装置の変形例の縦断面図である。図１２は、図１の表示装置の変形例で正面方向に画像を表示する際の画像をなす光の光路を説明するための図であって、図１の表示装置の変形例の縦断面図である。
【００７２】
図示された例では、正面方向および単位光学界面５５ａの配列方向の両方に平行な断面において、単位光学界面５５ａは三角形（単位プリズム）状の輪郭を有し、各画素２１からの光を予め設定された正面方向以外の方向に向けることができる。図示された例においては、単位光学界面５５ａの輪郭は、正面方向を中心として左右対称に配置された二等辺三角形状となっている。この二等辺三角形形状の頂角の角度は、光を向ける方向に応じて、適宜設定すればよい。複数の単位光学界面５５ａの集合体としての光学界面５５は、プリズム面を形成している。
【００７３】
このような光学シート４０を含んだ表示装置１０では、次のようにして、視認方向を正面方向または正面以外の方向に切り替えることができる。まず、図１２を主に参照しながら、視認方向を正面方向に設定して画像を表示する場合について説明する。
【００７４】
この場合、基本的な動作原理は、上述した実施形態の狭い視野角で画像を表示する場合と同じであり、偏光制御装置３０の一対の電極３４，３６間には、電圧が印加されていない。この結果、画像光Ｌ３１〜Ｌ３４は、画像表示ユニット１５から射出した状態において、第２偏光成分となっている。
【００７５】
画像表示ユニット１５から射出した画像光Ｌ３１〜Ｌ３４は、光学シート４０の光学界面５５で進行方向を曲げられることなく進む。このようにして、画像光Ｌ３１〜Ｌ３４が、表示装置１０の表示面１０ａから正面方向に出射する。この結果、観察者は、正面方向から画像を観察することが可能となる。
【００７６】
次に、視認方向を正面以外の方向に設定して画像を表示する場合について説明する。図１１に示すように、この場合、偏光制御装置３０の一対の電極３４，３６間には、電圧が印加される。このため、画像光Ｌ２１〜Ｌ２４は、偏光状態を第１状態に維持しながら、偏光制御装置３０を透過する。
【００７７】
画像表示ユニット１５から射出した画像光Ｌ２１〜Ｌ２４は、光学シート４０へ入射する。光学シート４０の光学界面５５は、各画素２１からの画像光Ｌ２１〜Ｌ２４の進行方向を制御する。
【００７８】
光学界面５５の各単位光学界面５５ａは、各画素２１からの光を正面以外の方向に向ける。図示する例では、各単位光学界面５５ａにおいて、二等辺三角形状の一方の等辺で屈折した光と、他方の等辺で屈折した光とが、表示装置１０の表示面１０ａから出射した後で交差するよう、各単位光学界面５５ａは設計されている。即ち、各画素２１を通過した光は、正面方向以外の方向に向けて、表示装置１０の表示面１０ａから出射する。この結果、観察者は、表示面１０ａに形成される画像を正面以外の方向から観察することができ、正面方向からは観察することができない。つまり、表示装置１０の向きを変えることなく、画像が視認され得る視認方向を変更できる。例えば、この変形例の表示装置１０をカーナビゲーションシステムに適用した場合、視認方向を切り替えることで、画像を観察可能な座席を切り替えできる。
【００７９】
このように、この変形例では、画像表示ユニット１５は、視認方向を正面以外の方向（第１の方向）にする場合に、第１偏光成分の光を射出し、視認方向を正面方向（第１の方向と異なる第２の方向）にする場合に、第２偏光成分の光を射出する。但し、第２の方向は正面方向に限られない。
【００８０】
また、上述した実施の形態において、第１層５１のｘ軸方向の屈折率ｎ１ｘ、第１層５１のｙ軸方向の屈折率ｎ１ｙ、第２層５２のｘ軸方向の屈折率ｎ２ｘおよび第２層５１のｙ軸方向の屈折率ｎ２ｙの関係を説明したが、上述した屈折率ｎ１ｘ，ｎ１ｙ，ｎ２ｘ，ｎ２ｙの関係は例示に過ぎない。
【００８１】
例えば、上述した実施の形態において、第１層５１のｘ軸方向の屈折率ｎ１ｘが第２層５２のｘ軸方向の屈折率ｎ２ｘよりも大きくなっている例を示したがこれに限られず、第１層５１のｘ軸方向の屈折率ｎ１ｘが第２層５２のｘ軸方向の屈折率ｎ２ｘよりも小さくなっていてもよい。一例としての図５に示された例においては、次の関係が満たされる。
（ｎ２ｘ−ｎ１ｘ）＞｜ｎ１ｙ−ｎ２ｙ｜＝０
図５の関係が成り立つ場合、例えば、光学界面５５の単位光学界面５５ａを凹レンズとして構成することにより、上述した実施の形態の光学シート４０と概ね同様の光学機能を得ることが可能となる。なお、既に説明したように、図５に示された屈折率の関係に代えて、次の二条件が満たされるようにしてもよい。
（ｎ２ｘ−ｎ１ｘ）＞｜ｎ１ｙ−ｎ２ｙ｜
｜ｎ１ｙ−ｎ２ｙ｜≦０．０２
さらに、（ｎ２ｘ−ｎ１ｘ）＞｜ｎ１ｙ−ｎ２ｙ｜が満たされるとともに、正面方向へ進む第２偏光成分の光が、光学シート４０を透過した後に、正面方向に対して２°以下の角度をなす方向へ進むように、光学シート４０が構成されてもよい。
【００８２】
また、上述した実施の形態においては、ｘ軸方向における第１層５１と第２層５２との間での屈折率差の大きさ（｜ｎ１ｘ−ｎ２ｘ｜）がｙ軸方向における第１層５１と第２層５２との間での屈折率差の大きさ（｜ｎ１ｙ−ｎ２ｙ｜）よりも大きくなっている例を示したが、上述した例に代えて、ｘ軸方向における第１層５１と第２層５２との間での屈折率差の大きさがｙ軸方向における第１層５１と第２層５２との間での屈折率差の大きさよりも小さくなっていてもよい。
【００８３】
一例として、次の関係が満たされるようにしてもよい。
｜ｎ１ｙ−ｎ２ｙ｜＞｜ｎ１ｘ−ｎ２ｘ｜＝０
この場合、ｙ軸方向に振動する第２偏光成分の光の進行方向が、光学界面５５によって制御される。その一方で、ｘ軸方向に振動する第１偏光成分の光は、進行方向を維持して光学界面５５を通過する。この例では、画像表示ユニット１５が、例えば偏光制御装置３０の切り換えにより、広い視野角で画像を表示するための光を第２偏光成分の光として射出し、狭い視野角で画像を表示するための光を第１偏光成分の光として射出するようにすればよい。このような例によっても、上述した実施の形態と同様の作用効果を期待することができる。また、この例では、図６に示すように、第１層５１のｙ軸方向の屈折率ｎ１ｙが第２層５２のｙ軸方向の屈折率ｎ２ｙよりも大きくなり、次の関係が満たされるようにしてもよい。
（ｎ１ｙ−ｎ２ｙ）＞｜ｎ１ｘ−ｎ２ｘ｜＝０
あるいは、図７に示すように、第１層５１のｙ軸方向の屈折率ｎ１ｙが第２層５２のｙ軸方向の屈折率ｎ２ｙよりも小さくなり、次の関係が満たされるようにしてもよい。
（ｎ２ｙ−ｎ１ｙ）＞｜ｎ１ｘ−ｎ２ｘ｜＝０
【００８４】
なお、既に説明したように、図６に示された屈折率の関係に代えて、次の二条件が満たされるようにしてもよい。
（ｎ１ｙ−ｎ２ｙ）＞｜ｎ１ｘ−ｎ２ｘ｜
｜ｎ１ｘ−ｎ２ｘ｜≦０．０２
さらに、（ｎ１ｙ−ｎ２ｙ）＞｜ｎ１ｘ−ｎ２ｘ｜が満たされるとともに、光学シート４０のシート面へ直交する方向（すなわち、正面方向）へ進むｘ軸方向に振動する偏光成分（第１偏光成分）の光が、光学シート４０を透過した後に、正面方向に対して２°以下の角度をなす方向へ進むように、光学シート４０が構成されていてもよい。
【００８５】
同様に、図７に示された屈折率の関係に代えて、次の二条件が満たされるようにしてもよい。
（ｎ２ｙ−ｎ１ｙ）＞｜ｎ１ｘ−ｎ２ｘ｜
｜ｎ１ｘ−ｎ２ｘ｜≦０．０２
さらに、（ｎ２ｙ−ｎ１ｙ）＞｜ｎ１ｘ−ｎ２ｘ｜が満たされるとともに、正面方向へ進む第１偏光成分の光が、光学シート４０を透過した後に、正面方向に対して２°以下の角度をなす方向へ進むように、光学シート４０が構成されていてもよい。
【００８６】
さらに、上述した実施の形態では、第１層５１のみが光学異方性であり、第２層５１は光学等方性である例を説明したが、第１層５１および第２層５２の両方とも光学異方性であるようにしてもよい。一例としての図８に示された例では、第１層５１のｘ軸方向の屈折率ｎ１ｘ、第１層５１のｙ軸方向の屈折率ｎ１ｙ、第２層５２のｘ軸方向の屈折率ｎ２ｘおよび第２層５１のｙ軸方向の屈折率ｎ２ｙが、次の関係を満たすようになっている。
（ｎ１ｘ−ｎ２ｘ）＞｜ｎ１ｙ−ｎ２ｙ｜＝０
ｎ１ｘ＞ｎ１ｙ
ｎ２ｘ＜ｎ２ｙ
図８に示された例によれば、ｙ軸方向における第１層５１と第２層５２との間での屈折率差を小さく、典型的には０に保ちながら、ｘ軸方向における第１層５１と第２層５２との間での屈折率差を大きくすることができる。これにより、光学シート４０の光学界面５５は、ｘ軸方向に振動する偏光成分の光に対してのみ、強い光学機能を発揮することができる。なお、図８に示された例は、一例として、図１０を参照しながら説明した製造方法により作製され得る。この際、延伸方向と遅相軸方向とが一致するようになる材料（例えばポリエチレンナフタレート樹脂）を用いて樹脂フィルム７１を作製し、延伸方向と進相軸方向とが一致するようになる材料、例えば（スチレン系樹脂）を用いて第２樹脂フィルム７２を作製すればよい。
【００８７】
なお、既に説明したように、図８に示された屈折率の関係に代えて、次の四条件が満たされるようにしてもよい。
（ｎ１ｘ−ｎ２ｘ）＞｜ｎ１ｙ−ｎ２ｙ｜
｜ｎ１ｙ−ｎ２ｙ｜≦０．０２
ｎ１ｘ＞ｎ１ｙ
ｎ２ｘ＜ｎ２ｙ
さらに、（ｎ１ｘ−ｎ２ｘ）＞｜ｎ１ｙ−ｎ２ｙ｜、ｎ１ｘ＞ｎ１ｙおよびｎ２ｘ＜ｎ２ｙが満たされるとともに、光学シート４０のシート面へ直交する方向（すなわち、正面方向）へ進むｙ軸方向に振動する偏光成分（第２偏光成分）の光が、光学シート４０を透過した後に、正面方向に対して２°以下の角度をなす方向へ進むように、光学シート４０が構成されていてもよい。
【００８８】
さらに、上述した実施の形態において、ｘ軸方向およびｙ軸方向のいずれか一方向における第１層５１と第２層５２との間での屈折率差が０となる例を説明した。しかしながら、ｘ軸方向およびｙ軸方向のいずれの方向においても第１層５１と第２層５２との間での屈折率差が０とならないようにしてもよい。この例においても、光学界面５５及び単位光学界面５５ａの構成を適宜設計することにより、上述した実施の形態と同様の作用効果を得ることができる。
【００８９】
さらに、上述した実施の形態において、第１層５１の面内における主軸（遅相軸および進相軸）が、広い視野角で画像を形成する光および狭い視野角で画像を形成する光の振動方向と一致している例を示したが、一致していなくてもよい。この例においても、各屈折率ｎ１ｘ，ｎ１ｙ，ｎ２ｘ，ｎ２ｙの大きさを適宜調節することにより、上述した実施の形態と同様の作用効果を得ることができる。
【００９０】
さらに、上述した実施の形態およびその変形例において、熱可塑性樹脂を含む樹脂フィルムを延伸することによって、光学シート４０の第１層５１および第２層５２に光学異方性、言い換えると面内の複屈折性を付与する例を示した。しかしながら、光学シート４０の第１層５１および第２層５２が、液晶（液晶分子、液晶材料）を含有する層として形成され、液晶の配光によって、光学異方性を付与されるようにしてもよい。このような光学シート４０の第１層５１または第２層５２は、典型的には、ラビング等の配向処理をなされた基材上で、液晶（液晶分子、液晶材料）を含有する紫外線硬化型樹脂を硬化させることによって、作製され得る。このような変形例においても、上述した実施の形態と同様の作用効果を得ることができる。
【００９１】
なお、以上において上述した実施の形態に対するいくつかの変形例を説明してきたが、当然に、複数の変形例を適宜組み合わせて適用することも可能である。
【符号の説明】
【００９２】
１０   表示装置
１０ａ 表示面
１５   画像表示ユニット
２０   画像形成装置
２０ａ 画像形成面
２１   画素
２４   バックライト
２５   液晶表示パネル
２６   偏光板、下偏光板
２７   液晶セル
２８   偏光板、上偏光板
３０   偏光制御装置
３１   液晶分子、液晶材料、液晶
３３   第１支持フィルム
３４   第１電極
３５   液晶層
３６   第２電極
３７   第２支持フィルム
４０   光学シート
４３   フィルム層
５１   第１層
５２   第２層
５５   光学界面、複屈折界面、レンズ面
５５ａ 単位光学面、単位レンズ
【図１】
2014077911.tif 000003
【図２】
2014077911.tif 000004
【図３】
2014077911.tif 000005
【図４】
2014077911.tif 000006
【図５】
2014077911.tif 000007
【図６】
2014077911.tif 000008
【図７】
2014077911.tif 000009
【図８】
2014077911.tif 000010
【図９】
2014077911.tif 000011
【図１０】
2014077911.tif 000012
【図１１】
2014077911.tif 000013
【図１２】
2014077911.tif 000014